【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
モバイルデバイスで、前記モバイルデバイスのロケーションの概略推定を取得することと、
前記概略推定されたロケーションの信号収集範囲内の複数の送信機を識別することと、
前記送信機の少なくともいくつかに宛てたプローブ要求を送信することと、
前記送信機から受信される前記プローブ要求の応答数が閾値数未満である場合、前記モバイルデバイスの受信機でパッシブスキャンを選択的に起動することと
を備える方法。
【請求項２】
前記モバイルデバイスが、前記パッシブスキャンにより収集される信号に少なくとも部分的に基づいて、ロケーションコンテキスト識別子（ＬＣＩ）によって識別される異なるフロアまたはエリアに移動したかどうかを決定することをさらに備える、請求項１に記載の方法。
【請求項３】
前記複数の送信機が、前記モバイルデバイスで受信される測位支援データに少なくとも部分的に基づいて識別される、請求項１に記載の方法。
【請求項４】
前記パッシブスキャンに少なくとも部分的に基づいて、前記モバイルデバイスの位置フィックスを取得することと、
前記モバイルデバイスの前記取得された位置フィックスに少なくとも部分的に基づいて、前記モバイルデバイスのロケーション追跡フィルタをリスタートすることとをさらに備える、請求項１に記載の方法。
【請求項５】
前記モバイルデバイスの前記取得された位置フィックスに少なくとも部分的に基づいて、更新された測位支援データを取得することをさらに備える、請求項４に記載の方法。
【請求項６】
前記ロケーション追跡フィルタが、パーティクルフィルタを備える、請求項４に記載の方法。
【請求項７】
前記送信機の前記少なくともいくつかが、その１つまたは複数の予測信号特性があらかじめ定められた閾値を超える送信機を備える、請求項１に記載の方法。
【請求項８】
前記あらかじめ定められた閾値がユーザ設定できる、請求項７に記載の方法。
【請求項９】
前記１つまたは複数の信号特性が、受信された信号強度型の特性、往復遅延時間型の特性、またはその任意の組合せのうちの少なくとも１つを備える、請求項７に記載の方法。
【請求項１０】
前記複数の送信機の１つまたは複数が、固定ロケーション送信機を備える、請求項１に記載の方法。
【請求項１１】
モバイルデバイスで、前記モバイルデバイスのロケーションの概略推定を取得するための手段と、
前記概略推定されたロケーションの信号収集範囲内の複数の送信機を識別するための手段と、
前記送信機の少なくともいくつかに宛てたプローブ要求を送信するための手段と、
前記送信機から受信される前記プローブ要求の応答数が閾値数未満である場合、前記モバイルデバイスの受信機でパッシブスキャンを選択的に起動するための手段とを備える装置。
【請求項１２】
前記モバイルデバイスが、前記パッシブスキャンにより収集される信号に少なくとも部分的に基づいて、ロケーションコンテキスト識別子（ＬＣＩ）によって識別される異なるフロアまたはエリアに移動したかどうかを決定するための手段をさらに備え、
前記複数の送信機が、前記モバイルデバイスで受信される測位支援データに少なくとも部分的に基づいて識別される、請求項１１に記載の装置。
【請求項１３】
前記パッシブスキャンに少なくとも部分的に基づいて、前記モバイルデバイスの位置フィックスを取得するための手段と、
前記モバイルデバイスの前記取得された位置フィックスに少なくとも部分的に基づいて、前記モバイルデバイスのロケーション追跡フィルタをリスタートするための手段とをさらに備え、
好ましくは、前記モバイルデバイスの前記取得された位置フィックスに少なくとも部分的に基づいて、更新された測位支援データを取得するための手段をさらに備え、および／または、
前記ロケーション追跡フィルタが、パーティクルフィルタを備える、請求項１１に記載の装置。
【請求項１４】
前記送信機の前記少なくともいくつかが、その１つまたは複数の予測信号特性があらかじめ定められた閾値を超える送信機を備え、
前記あらかじめ定められた閾値が好ましくはユーザ設定でき、および／または、
前記１つまたは複数の信号特性が、受信された信号強度型の特性、往復遅延時間型の特性、またはその任意の組合せのうちの少なくとも１つを備える、請求項１１に記載の装置。
【請求項１５】
専用コンピューティングプラットフォームによって実行されるとき、請求項１乃至１０の何れか１項の方法ステップを実行することを前記コンピューティングプラットフォームに行わせる命令を記憶された非一時的記憶媒体
を備える物品。
【手続補正２】
【補正対象書類名】明細書
【補正対象項目名】００７３
【補正方法】変更
【補正の内容】
【００７３】
[0077]本明細書では様々な方法またはシステムを使用していくつかの例示的な技法を説明し、示したが、請求する主題を逸脱することなく、他の様々な変形を行うことができ、均等物を代用することができることが、当業者には理解されよう。さらに、本明細書に記載の中心概念から逸脱することなく、請求する主題の教示に特定の状況を適合させるために多くの変更を行うことができる。したがって、請求する主題は、開示された特定の例に限定されず、そのような請求する主題は、添付の特許請求の範囲の範囲内に入るすべての実装形態と、その均等物とをも含むものとする。
以下に本願発明の当初の特許請求の範囲に記載された発明を付記する。
［Ｃ１］モバイルデバイスで、前記モバイルデバイスのロケーションの概略推定を取得することと、前記概略的に推定されたロケーションの信号収集範囲内の複数の送信機を識別することと、前記送信機の少なくともいくつかに宛てたプローブ要求を送信することと、前記送信機から受信される前記プローブ要求の応答数が閾値数未満である場合、前記モバイルデバイスの受信機でパッシブスキャンを選択的に起動することとを備える方法。
［Ｃ２］前記モバイルデバイスが、前記パッシブスキャンにより収集される信号に少なくとも部分的に基づいて、ロケーションコンテキスト識別子（ＬＣＩ）によって識別される異なるフロアまたはエリアに移動したかどうかを決定することをさらに備える、Ｃ１に記載の方法。
［Ｃ３］前記複数の送信機が、前記モバイルデバイスで受信される測位支援データに少なくとも部分的に基づいて識別される、Ｃ１に記載の方法。
［Ｃ４］前記パッシブスキャンに少なくとも部分的に基づいて、前記モバイルデバイスの位置フィックスを取得することと、前記モバイルデバイスの前記取得された位置フィックスに少なくとも部分的に基づいて、前記モバイルデバイスのロケーション追跡フィルタをリスタートすることとをさらに備える、Ｃ１に記載の方法。
［Ｃ５］前記モバイルデバイスの前記取得された位置フィックスに少なくとも部分的に基づいて、更新された測位支援データを取得することをさらに備える、Ｃ４に記載の方法。
［Ｃ６］前記ロケーション追跡フィルタが、パーティクルフィルタを備える、Ｃ４に記載の方法。
［Ｃ７］前記送信機の前記少なくともいくつかが、その１つまたは複数の予測信号特性があらかじめ定められた閾値を超える送信機を備える、Ｃ１に記載の方法。
［Ｃ８］前記あらかじめ定められた閾値がユーザ設定できる、Ｃ７に記載の方法。
［Ｃ９］前記１つまたは複数の信号特性が、受信された信号強度型の特性、往復遅延時間型の特性、またはその任意の組合せのうちの少なくとも１つを備える、Ｃ７に記載の方法。
［Ｃ１０］前記複数の送信機の１つまたは複数が、固定ロケーション送信機を備える、Ｃ１に記載の方法。
［Ｃ１１］ワイヤレスネットワークと通信するためのワイヤレストランシーバと、モバイルデバイスのロケーションの概略推定を取得し、前記概略的に推定されたロケーションの信号収集範囲内の複数の送信機を識別し、前記送信機の少なくともいくつかに宛てたプローブ要求を送信し、前記送信機から受信される前記プローブ要求の応答数が閾値数未満である場合、前記モバイルデバイスの受信機でパッシブスキャンを選択的に起動するための命令でプログラムされる１つまたは複数のプロセッサとを備えるモバイルデバイスを備える装置。
［Ｃ１２］前記１つまたは複数のプロセッサが、前記パッシブスキャンに少なくとも部分的に基づいて、前記モバイルデバイスの位置フィックスを取得し、前記モバイルデバイスの前記取得された位置フィックスに少なくとも部分的に基づいて、前記モバイルデバイスのロケーション追跡フィルタをリスタートするための命令でさらにプログラムされる、Ｃ１１に記載の装置。
［Ｃ１３］前記１つまたは複数のプロセッサが、前記モバイルデバイスの前記取得された位置フィックスに少なくとも部分的に基づいて、更新された測位支援データを取得するための命令でさらにプログラムされる、Ｃ１２に記載の装置。
［Ｃ１４］前記送信機の前記少なくともいくつかが、その１つまたは複数の予測信号特性があらかじめ定められた閾値を超える送信機を備える、Ｃ１１に記載の装置。
［Ｃ１５］モバイルデバイスで、前記モバイルデバイスのロケーションの概略推定を取得するための手段と、前記概略的に推定されたロケーションの信号収集範囲内の複数の送信機を識別するための手段と、前記送信機の少なくともいくつかに宛てたプローブ要求を送信するための手段と、前記送信機から受信される前記プローブ要求の応答数が閾値数未満である場合、前記モバイルデバイスの受信機でパッシブスキャンを選択的に起動するための手段とを備える装置。
［Ｃ１６］前記モバイルデバイスが、前記パッシブスキャンにより収集される信号に少なくとも部分的に基づいて、ロケーションコンテキスト識別子（ＬＣＩ）によって識別される異なるフロアまたはエリアに移動したかどうかを決定するための手段をさらに備える、Ｃ１５に記載の装置。
［Ｃ１７］前記複数の送信機が、前記モバイルデバイスで受信される測位支援データに少なくとも部分的に基づいて識別される、Ｃ１５に記載の装置。
［Ｃ１８］前記パッシブスキャンに少なくとも部分的に基づいて、前記モバイルデバイスの位置フィックスを取得するための手段と、前記モバイルデバイスの前記取得された位置フィックスに少なくとも部分的に基づいて、前記モバイルデバイスのロケーション追跡フィルタをリスタートするための手段とをさらに備える、Ｃ１５に記載の装置。
［Ｃ１９］前記モバイルデバイスの前記取得された位置フィックスに少なくとも部分的に基づいて、更新された測位支援データを取得するための手段をさらに備える、Ｃ１８に記載の装置。
［Ｃ２０］前記ロケーション追跡フィルタが、パーティクルフィルタを備える、Ｃ１８に記載の装置。
［Ｃ２１］前記送信機の前記少なくともいくつかが、その１つまたは複数の予測信号特性があらかじめ定められた閾値を超える送信機を備える、Ｃ１５に記載の装置。
［Ｃ２２］前記あらかじめ定められた閾値がユーザ設定できる、Ｃ２１に記載の装置。
［Ｃ２３］前記１つまたは複数の信号特性が、受信された信号強度型の特性、往復遅延時間型の特性、またはその任意の組合せのうちの少なくとも１つを備える、Ｃ２１に記載の装置。
［Ｃ２４］モバイルデバイスで、前記モバイルデバイスのロケーションの概略推定を取得し、前記概略的に推定されたロケーションの信号収集範囲内の複数の送信機を識別し、前記送信機の少なくともいくつかに宛てたプローブ要求を送信し、前記送信機から受信される前記プローブ要求の応答数が閾値数未満である場合、前記モバイルデバイスの受信機でパッシブスキャンを選択的に起動するための専用コンピューティングプラットフォームによって実行可能な命令を記憶された非一時的記憶媒体を備える物品。
［Ｃ２５］前記記憶媒体が、前記パッシブスキャンにより収集される信号に少なくとも部分的に基づいて、ロケーションコンテキスト識別子（ＬＣＩ）によって識別される異なるフロアまたはエリアに、前記モバイルデバイスが移動したかどうかを決定するための命令をさらに備える、Ｃ２４に記載の物品。
［Ｃ２６］前記記憶媒体が、前記パッシブスキャンに少なくとも部分的に基づいて、前記モバイルデバイスの位置フィックスを取得し、前記モバイルデバイスの前記取得された位置フィックスに少なくとも部分的に基づいて、前記モバイルデバイスのロケーション追跡フィルタをリスタートするための命令をさらに備える、Ｃ２４に記載の物品。
［Ｃ２７］前記記憶媒体が、前記モバイルデバイスの前記取得された位置フィックスに少なくとも部分的に基づいて、更新された測位支援データを取得するための命令をさらに備える、Ｃ２６に記載の物品。